(57)【要約】【課題】運動時に人体の一部に接触する電極を介して人体の一部の筋肉に低周波の電気刺激を付与することで、低周波の電気刺激による筋肉の緊張と弛緩により筋肉を増強することが可能となるフラフープを提供する。【解決手段】円環状のフラフープ本体１１を備え、この円環状のフラフープ本体１１を人体の一部に掛けて、その部分を不断にツイストさせることで回転を継続させて使用するフラフープ１０において、フラフープ本体１１の内周面１３ａに沿って等間隔毎に突起部１４を複数形成し、この複数の突起部１４に人体の一部に接触する電極３４ａ，３４ｂをそれぞれ取り付け、この複数の電極３４ａ，３４ｂを介して人体の一部の筋肉に低周波の電気刺激を付与するようにした。【選択図】図１
2018130159.tif 000002
【特許請求の範囲】
【請求項１】
環状のフラフープ本体を備え、
前記環状のフラフープ本体を人体の一部に掛けて、その部分を不断にツイストさせることで回転を継続させて使用するフラフープにおいて、
前記環状のフラフープ本体の内周面に前記人体の一部に当接する電極を取り付け、前記電極を介して前記人体の一部の筋肉に電気刺激を付与するようにしたことを特徴とするフラフープ。
【請求項２】
請求項１記載のフラフープであって、
前記フラフープ本体の内周面に沿って所定間隔毎に突起部を複数形成し、
前記複数の突起部に前記電極をそれぞれ取り付けたことを特徴とするフラフープ。
【請求項３】
請求項１又は請求項２記載のフラフープであって、
前記フラフープ本体を、導電性で環状の金属管と、前記金属管を覆う絶縁性で環状の弾性体とで構成し、
前記弾性体の内周面に沿って所定間隔毎に前記突起部を複数形成し、前記複数の突起部に前記電極をそれぞれ取り付けたことを特徴とするフラフープ。
【請求項４】
請求項３記載のフラフープであって、
前記導電性で環状の金属管を、前記電極と前記電気刺激を発生させる装置本体とを接続する電線の一部として利用したことを特徴とするフラフープ。
【請求項５】
請求項４記載のフラフープであって、
前記環状のフラフープ本体の１８０°隔てた位置に電源が収納される電源ボックスをそれぞれ配置したことを特徴とするフラフープ。
【請求項６】
請求項１〜５のいずれか１項に記載のフラフープであって、
前記環状のフラフープ本体を偶数個に分割形成したことを特徴とするフラフープ。
【発明の詳細な説明】
【技術分野】
【０００１】
本発明は、手軽に運動できて健康に有益な運動器具としてのフラフープに関する。
【背景技術】
【０００２】
この種のフラフープとして、図７及び図８に示すものがある（例えば、特許文献１参照。）。
【０００３】
このフラフープ１は、図７及び図８に示すように、円環中空状で合成樹脂製のフラフープ本体２と、このフラフープ本体２の内周面２ａに沿って等間隔毎に一体突出形成された複数の突起部３と、この各突起部３の先端に装着される永久磁石４と、を備えている。
【０００４】
そして、フラフープ１を使って運動するときに、複数の突起部３によって人体の腹部と背の方の腰部（人体の一部）に指圧効果を与えることができると共に、複数の突起部３の先端の永久磁石４による磁力線により血管内の血の流れをスムーズにして新陳代謝を活発化させて腰の疲れや贅肉を効果的に取ることが可能となる。
【先行技術文献】
【特許文献】
【０００５】
【特許文献１】特開２００６−２０８２５号公報
【発明の概要】
【発明が解決しようとする課題】
【０００６】
前記従来のフラフープ１では、複数の突起部３の先端の永久磁石４による磁力線により腰の疲れや贅肉を取ることが可能となるが、筋肉まで刺激して痛みを取ったり、筋肉を増強することはできなかった。
【０００７】
そこで、本発明は、前記した課題を解決すべくなされたものであり、運動時に人体の一部に当接する電極を介して人体の一部の筋肉に電気刺激を付与することで、電気刺激による筋肉の緊張と弛緩により筋肉を増強することが可能となるフラフープを提供することを目的とする。
【課題を解決するための手段】
【０００８】
請求項１の発明は、環状のフラフープ本体を備え、前記環状のフラフープ本体を人体の一部に掛けて、その部分を不断にツイストさせることで回転を継続させて使用するフラフープにおいて、前記環状のフラフープ本体の内周面に前記人体の一部に当接する電極を取り付け、前記電極を介して前記人体の一部の筋肉に電気刺激を付与するようにしたことを特徴とする。
【０００９】
請求項２の発明は、請求項１記載のフラフープであって、前記フラフープ本体の内周面に沿って所定間隔毎に突起部を複数形成し、前記複数の突起部に前記電極をそれぞれ取り付けたことを特徴とする。
【００１０】
請求項３の発明は、請求項１又は請求項２記載のフラフープであって、前記フラフープ本体を、導電性で環状の金属管と、前記金属管を覆う絶縁性で環状の弾性体とで構成し、前記弾性体の内周面に沿って所定間隔毎に前記突起部を複数形成し、前記複数の突起部に前記電極をそれぞれ取り付けたことを特徴とする。
【００１１】
請求項４の発明は、請求項３記載のフラフープであって、前記導電性で環状の金属管を、前記電極と前記電気刺激を発生させる装置本体とを接続する電線の一部として利用したことを特徴とする。
【００１２】
請求項５の発明は、請求項４記載のフラフープであって、前記環状のフラフープ本体の１８０°隔てた位置に電源が収納される電源ボックスをそれぞれ配置したことを特徴とする。
【００１３】
請求項６の発明は、請求項１〜５のいずれか１項に記載のフラフープであって、前記環状のフラフープ本体を偶数個に分割形成したことを特徴とする。
【発明の効果】
【００１４】
以上説明したように、請求項１の発明によれば、環状のフラフープ本体の内周面に人体の一部に当接する電極を取り付けたことにより、運動時に、人体の一部に当接する電極を介して人体の一部の筋肉に電気刺激を付与することができ、電気刺激による筋肉の緊張と弛緩により筋肉を増強することが可能となる。
【００１５】
請求項２の発明によれば、フラフープ本体の内周面に沿って所定間隔毎に突起部を複数形成し、複数の突起部に電極をそれぞれ取り付けたことにより、電極を人体の一部に簡単かつ確実に当接させて、電極を介して人体の一部の筋肉に電気刺激を付与することができる。
【００１６】
請求項３の発明によれば、フラフープ本体を、導電性で環状の金属管と、金属管を覆う絶縁性で環状の弾性体とで構成し、弾性体の内周面に沿って所定間隔毎に突起部を複数形成し、複数の突起部に電極をそれぞれ取り付けたことにより、電極を人体の一部に簡単かつ確実に当接させて、電極を介して人体の一部の筋肉に電気刺激を簡単かつ確実に付与することができる。
【００１７】
請求項４の発明によれば、導電性で環状の金属管を、電極と電気刺激を発生させる装置本体とを接続する電線の一部として利用したことにより、その分、利用する電線の量を減らすことができ、構造全体の簡素化及び低コスト化を図ることができる。
【００１８】
請求項５の発明によれば、環状のフラフープ本体の１８０°隔てた位置に電源が収納される電源ボックスをそれぞれ配置したことにより、フラフープ本体を人体の一部で不断にツイストさせて回転させる際に、フラフープ本体をバランス良く継続的に回転させることができる。
【００１９】
請求項６の発明によれば、環状のフラフープ本体を偶数個に分割形成したことにより、不使用の際にフラフープ本体を分割して収納することができ、収納スペースの省スペース化を図ることができる。
【図面の簡単な説明】
【００２０】
【図１】本発明の第１実施形態のフラフープを示す正面図である。
【図２】図１中Ａ−Ａ線に沿う断面図である。
【図３】図１中Ｂ−Ｂ線に沿う断面図である。
【図４】図１中Ｄ部分の断面図である。
【図５】図１中Ｅ部分の断面図である。
【図６】本発明の第２実施形態のフラフープの要部を示す断面図である。
【図７】従来のフラフープの斜視図である。
【図８】図７中Ｃ−Ｃ線に沿う断面図である。
【発明を実施するための形態】
【００２１】
以下、本発明の実施形態を図面に基づいて説明する。
【００２２】
図１は本発明の第１実施形態のフラフープを示す正面図、図２は図１中Ａ−Ａ線に沿う断面図、図３は図１中Ｂ−Ｂ線に沿う断面図、図４は図１中Ｄ部分（フラフープの電源ボックス部分）の断面図、図５は図１中Ｅ部分（フラフープの連結部分）の断面図である。
【００２３】
図１に示すように、フラフープ１０は、円環状のフラフープ本体１１を備え、この円環状のフラフープ本体１１を人体の一部（例えば、腰部の周り）に掛けて、その部分を不断にツイストさせることで回転を継続させて使用する運動器具である。
【００２４】
図１、図５に示すように、円環状のフラフープ本体１１は、２分割に形成してあり、導電性で半円環状の鉄製等の金属管１２と、この金属管１２を覆う絶縁性で半円環状のゴム体（弾性体）１３とから成る２部品１１Ａ，１１Ｂを組み立てることにより構成されている。
【００２５】
即ち、図１、図５に示すように、２部品１１Ａ，１１Ｂは、同一形状及び同一構造に形成してあり、一方の部品１１Ａの金属管１２の一端１２ａ内に、他方の部品１１Ｂの一方の金属管１２の一端１２ａより一周り小径の他方の金属管１２の他端１２ｂを嵌め込むと共に、一方の金属管１２の一端１２ａに形成された円形の係合孔１２ｃ内に、他方の金属管１２の他端１２ｂの内部に一端１５ａ側が固定されたＵ字状の板バネ１５の他端１５ｂ側より突出した係止ピン１６を他方の金属管１２の他端１２ｂに形成された円形の挿通孔１２ｄを介して係止させることにより連結されるようになっている。また、組み立てられて連結された２部品１１Ａ，１１Ｂを分離する場合には、ゴム体１３より係止ピン１６をＵ字状の板バネ１５の弾性付勢力に抗して内側へ押すことで一方の金属管１２の係合孔１２ｃより係止ピン１６の係止状態を解除することにより簡単に分離できるようになっている。
【００２６】
また、図１、図４に示すように、円環状のフラフープ本体１１の１８０°隔てた位置である導電性で半円環状の各金属管１２の外周面１２ｅの中央には、後述する筋肉電気刺激装置３０の電池（電源）３６が収納される電源ボックス２０をそれぞれ取り付けてある。各電源ボックス２０は、上下面が開口して各金属管１２の外周面１２ｅに接着剤等により固定された合成樹脂製で四角筒状の枠体２１と、この枠体２１の上面側の開口部に一端側のヒンジ部２３と他端側の係止部２２ａを介して開閉自在に取り付けられた合成樹脂製で矩形板状の蓋体２２とで構成されている。尚、電源ボックス２０の蓋体２２以外は、ゴム体１３により覆われている。
【００２７】
さらに、図１、図４、図５に示すように、絶縁性で半円環状の各ゴム体１３の内周面１３ａに沿って等間隔毎に山形の突起部１４を複数個（この実施形態では各部品１１Ａ１１，１１Ｂで８個、計１６個）一体突出形成してある。この複数の突起部１４の頂部１４ａには、後述する筋肉電気刺激装置３０の正極用と負極用の各電極３４ａ，３４ｂを互い違いに接着剤等により貼着してある。即ち、各部品１１Ａ，１１Ｂ毎に正極用及び負極用の一対の電極３４ａ，３４ｂが４組で計８組取り付けられている。この正極用及び負極用の各一対の電極３４ａ，３４ｂを介して人体の一部の筋肉に低周波の電気刺激が付与されるようになっている。
【００２８】
図４に示すように、筋肉電気刺激（Electrical Muscle Stimulation）装置３０は、電源ボックス２０の四角筒状の枠体２１の下側開口より露出した各金属管１２の外周面１２ｅに合成樹脂製で一対の台座３２，３２を介して固定された制御（ＣＰＵ）基板３１と、この制御基板３１上に設けられ、低周波の電気刺激（電気信号）を発生させて送出する装置本体３３と、正極用と負極用の各一対の電極３４ａ，３４ｂと装置本体３３とを接続する電線３５と、制御基板３１上の一対の電池接点３７ａ，３７ｂ間に着脱自在に取り付けられ、装置本体３３や各電極３４ａ，３４ｂ等に電力を供給する電池（電源）３６と、この電池３６の電力の供給をオン・オフする振動感知スイッチ３８と、を備えている。
【００２９】
筋肉電気刺激装置３０の装置本体３３は、刺激信号（電気信号）を生成する図示しない電子回路等を備えており、生成された刺激信号の強度は制御基板３１等により人体に悪影響のない適正値に制御されるようになっている。
【００３０】
また、図５に示すように、導電性で半円環状の各金属管１２の内部に配索される電線３５は、雌，雄コネクタ３９ａ，３９ｂにより各部品１１Ａ，１１Ｂ毎に分離できるようになっている。また、導電性で半円環状の各金属管１２は、正極用の各電極３４ａと装置本体３３とを接続する電線の一部として利用されている。
【００３１】
さらに、振動感知スイッチ３８は、フラフープ本体１１が使用されるとその振動を検知して電源が自動でオンされ、使用を停止すると電源が自動でオフされるスイッチである。尚、振動感知スイッチ３８の代わりに小型のプッシュスイッチを用い、この小型のプッシュスイッチを手動で操作することで電源をオン・オフするようにしても良い。
【００３２】
以上第１実施形態のフラフープ１０によれば、フラフープ本体１１を、導電性で円環状の金属管１２と、この金属管１２を覆う絶縁性で円環状のゴム体１３とで構成し、ゴム体１３の内周面１３ａに沿って等間隔毎に突起部１４を複数それぞれ一体突出形成し、複数の突起部１４の頂部１４ａに正極用と負極用の各電極３４ａ，３４ｂを互い違いに取り付けたことにより、フラフープ１０を使って運動するときに、複数の突起部１４に取り付けられた正極用と負極用の各一対の電極３４ａ，３４ｂを人体の一部（例えば、人体の腹部と背の方の腰部）に簡単かつ確実に接触（当接）させることができる。これにより、フラフープ１０を使って運動するときに、複数の突起部１４の頂部１４ａによって人体の一部に指圧効果を与えることができると共に、複数の突起部１４の頂部１４ａに取り付けられた正極用と負極用の各一対の電極３４ａ，３４ｂを介して人体の一部の筋肉に低周波の電気刺激を付与することができ、この低周波の電気刺激による筋肉の緊張と弛緩により人体の一部の痛みを取ったり、筋肉を増強することが可能となる。さらに、フラフープ１０を使って運動することにより、効果的なリハビリを行うことも可能となる。
【００３３】
また、フラフープ１０の円環状のフラフープ本体の１８０°隔てた位置に電池３６が収納される電源ボックス２０をそれぞれ配置したことにより、フラフープ本体１１の左右のバランスが取り易いため、フラフープ本体１１を人体の一部で不断にツイストさせて回転させる際に、フラフープ本体１１をバランス良く継続的に回転させることができる。
【００３４】
さらに、導電性で円環状の金属管１２を、正極用の電極３４ａと低周波の電気刺激を発生させる装置本体３３とを接続する電線３５の一部として利用したことにより、その分、利用する電線３５の量を減らすことができ、構造全体の簡素化及び低コスト化を図ることができる。
【００３５】
さらに、円環状のフラフープ本体１１を２分割形成したことにより、不使用の際にフラフープ本体１１を分割して収納することができ、収納スペースの省スペース化を図ることができる。
【００３６】
尚、前記第１実施形態では、人体の一部として、例えば、腰を振ってフラフープ１０を回転させたが、例えば、腕を振ってフラフープ１０を回転させて、腕の筋肉の増強を図るようにしても良い。
【００３７】
図６は本発明の第２実施形態のフラフープ１０′の要部を示す断面図である。
【００３８】
この第２実施形態のフラフープ１０′は、導電性で円環状の鉄製等の金属管１２を覆う絶縁性で円環状のゴム体１３の内周面１３ａに沿って等間隔毎に複数個山形に形成された各突起部１４の頂部１４ａに、筋肉電気刺激装置３０の正極用と負極用の一対の電極３４ａ，３４ｂを接着剤等によりそれぞれ貼着した点が、前記第１実施形態と相違する。尚、他の構成は、前記第１実施形態と同様であるため、同一構造部分には同一符号を付して詳細な説明は省略する。
【００３９】
この第２実施形態では、ゴム体１３の内周面１３ａに沿って等間隔毎に複数形成された各突起部１４の頂部１４ａに、正極用と負極用の一対の電極３４ａ，３４ｂをそれぞれ取り付けたことにより、前記第１実施形態のものよりも正極用と負極用の一対の電極３４ａ，３４ｂ間の距離を短くできるため、フラフープ１０を使って運動するときに、各突起部１４の一対の電極３４ａ，３４ｂを人体の一部（例えば、人体の腹部と背の方の腰部）に瞬時かつ確実に接触させることができる。これにより、フラフープ１０を使って運動するときに、各突起部１４の頂部１４ａに取り付けられた正極用と負極用の一対の電極３４ａ，３４ｂを介して人体の一部の筋肉に低周波の電気刺激をより確実に付与することができ、この低周波の電気刺激による筋肉の緊張と弛緩により人体の一部の筋肉をより一段と増強することが可能となる。
【００４０】
尚、前記各実施形態によれば、フラフープ本体を２分割形成したが、４分割や６分割等の偶数個に分割形成しても良い。また、フラフープ本体を円環状に形成したが、楕円環状に形成しても良い。さらに、絶縁性の弾性体は、ゴム体に限らず、柔軟な合成樹脂体等でも良い。
【符号の説明】
【００４１】
１０，１０′  フラフープ
１１  円環状のフラフープ本体（環状のフラフープ本体）
１２  導電性で円環状の金属管（導電性で環状の金属管）
１３  絶縁性で円環状のゴム体（絶縁性で環状の弾性体）
１３ａ  内周面
１４  突起部
２０  電源ボックス
３３  装置本体
３４ａ，３４ｂ  電極
３５  電線
３６  電池（電源）
【図１】
2018130159.tif 000003
【図２】
2018130159.tif 000004
【図３】
2018130159.tif 000005
【図４】
2018130159.tif 000006
【図５】
2018130159.tif 000007
【図６】
2018130159.tif 000008
【図７】
2018130159.tif 000009
【図８】
2018130159.tif 000010
【手続補正書】
【提出日】平成30年1月5日(2018.1.5)
【手続補正１】
【補正対象書類名】明細書
【補正対象項目名】０００８
【補正方法】変更
【補正の内容】
【０００８】
請求項１の発明は、環状のフラフープ本体を備え、前記環状のフラフープ本体を人体の一部に掛けて、その部分を不断にツイストさせることで回転を継続させて使用するフラフープにおいて、前記環状のフラフープ本体を、導電性で環状の金属管と、前記金属管を覆う絶縁性で環状の弾性体とで構成し、前記弾性体の内周面に沿って所定間隔毎に突起部を複数形成し、前記複数の突起部に前記人体の一部に当接する電極をそれぞれ取り付け、かつ、前記導電性で環状の金属管を、前記電極と前記電気刺激を発生させる装置本体とを接続する電線の一部として利用して、前記電極を介して前記人体の一部の筋肉に電気刺激を付与するようにしたことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２の発明は、請求項１記載のフラフープであって、前記環状のフラフープ本体の１８０°隔てた位置に電源が収納される電源ボックスをそれぞれ配置したことを特徴とする。
【手続補正６】
【補正対象書類名】明細書
【補正対象項目名】００１３
【補正方法】変更
【補正の内容】
【００１３】
請求項３の発明は、請求項１又は請求項２記載のフラフープであって、前記環状のフラフープ本体を偶数個に分割形成したことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
さらに、請求項１の発明によれば、フラフープ本体を、導電性で環状の金属管と、金属管を覆う絶縁性で環状の弾性体とで構成し、弾性体の内周面に沿って所定間隔毎に突起部を複数形成し、複数の突起部に電極をそれぞれ取り付けたことにより、電極を人体の一部に簡単かつ確実に当接させて、電極を介して人体の一部の筋肉に電気刺激を簡単かつ確実に付与することができる。特に、導電性で環状の金属管を、電極と電気刺激を発生させる装置本体とを接続する電線の一部として利用したことにより、その分、利用する電線の量を減らすことができ、構造全体の簡素化及び低コスト化を図ることができる。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項２の発明によれば、環状のフラフープ本体の１８０°隔てた位置に電源が収納される電源ボックスをそれぞれ配置したことにより、フラフープ本体を人体の一部で不断にツイストさせて回転させる際に、フラフープ本体をバランス良く継続的に回転させることができる。
【手続補正１１】
【補正対象書類名】明細書
【補正対象項目名】００１９
【補正方法】変更
【補正の内容】
【００１９】
請求項３の発明によれば、環状のフラフープ本体を偶数個に分割形成したことにより、不使用の際にフラフープ本体を分割して収納することができ、収納スペースの省スペース化を図ることができる。
【手続補正１２】
【補正対象書類名】特許請求の範囲
【補正対象項目名】全文
【補正方法】変更
【補正の内容】
【特許請求の範囲】
【請求項１】
環状のフラフープ本体を備え、
前記環状のフラフープ本体を人体の一部に掛けて、その部分を不断にツイストさせることで回転を継続させて使用するフラフープにおいて、
前記環状のフラフープ本体を、導電性で環状の金属管と、前記金属管を覆う絶縁性で環状の弾性体とで構成し、
前記弾性体の内周面に沿って所定間隔毎に突起部を複数形成し、前記複数の突起部に前記人体の一部に当接する電極をそれぞれ取り付け、
かつ、前記導電性で環状の金属管を、前記電極と前記電気刺激を発生させる装置本体とを接続する電線の一部として利用して、前記電極を介して前記人体の一部の筋肉に電気刺激を付与するようにしたことを特徴とするフラフープ。
【請求項２】
請求項１記載のフラフープであって、
前記環状のフラフープ本体の１８０°隔てた位置に電源が収納される電源ボックスをそれぞれ配置したことを特徴とするフラフープ。
【請求項３】
請求項１又は請求項２記載のフラフープであって、
前記環状のフラフープ本体を偶数個に分割形成したことを特徴とするフラフープ。